(57)【要約】      （修正有）【課題】名刺を積層状態で収納できるボックス状の名刺収納ケースと、収納ケース内底面側に設けて積層状態の名刺を押し上げる発条２と、ケース前側面部に設けた名刺が通過する長孔と、ケース上面部を貫通して設けられると共に、底面がケース内収納の最上面の名刺と当接し且つ上部がケース上面部に露出した操作摘みとした繰り出し部とを備え、操作摘みのスライド操作で最上層の名刺を長孔からケース外に露出させてなる名刺入れにおいて、名刺が確実に１枚毎繰り出されるようにする。【解決手段】長孔ａ（凹部１２５と上面部１１１とで形成される間隙）の形状を、両端側の所定幅は上下間隙を名刺１枚分の厚さとし、中間部分は充分な広い間隙としてなり、発条を、積層収納の名刺における長孔ａの左右両側背後位置で名刺を上方に押し上げる側方発条３１と、長孔の反対側中央位置で名刺を押上げる中央発條３２とで構成した。【選択図】図３
0003109860.tif 000002
【実用新案登録請求の範囲】
【請求項１】
名刺を積層状態で収納できるボックス状の名刺収納ケースと、前記収納ケース内底面に設けて積層状態の名刺を押し上げる発条と、ケース前側面部に設けた名刺が通過する長孔と、ケース上面部を貫通して設けられると共に、底面がケース内収納の最上面の名刺と当接し且つ上部がケース上面部に露出した操作摘みとした繰り出し部とを備え、操作摘みのスライド操作で最上層の名刺を長孔からケース外に露出させてなる名刺入れにおいて、長孔の形状を、左右両端側の所定幅は上下間隙を名刺１枚分の厚さとし、中間部分は充分な広い間隙としてなり、発条を、積層収納の名刺における長孔に近接した左右前方位置で名刺を上方に押し上げる側方発条と、長孔の反対側中央位置で名刺を押上げる中央発条とで構成したことを特徴とする名刺入れ。
【請求項２】
発条に板バネを採用し、側方発条は、長孔と反対側のケース内底面の奥方に基部を固定し、前方部分を跳ね上げて形成し、中央発条は、前方部分の基部をケース内底面の前方に固定し、奥方部分を跳ね上げて形成してなる請求項１記載の名刺入れ。
【請求項３】
長孔の両端５〜１５ｍｍの範囲を間隙０．３ｍｍ程度とし、中間部分を１〜２ｍｍ程度としてなる請求項１又は２記載の名刺入れ。
【請求項４】
操作摘みのスライド方向に設けた貫通溝孔に、操作摘みを抜け止め状態に装着すると共に、操作摘みを、ケース上面側に貫通溝孔を跨いで形成された弾性アーチ部と、前記弾性アーチ部の下方に設けた名刺当接部とで構成し、弾性アーチ部を非押圧状態で名刺当接部の名刺当接面となる底面がケース上面部の裏面と同一面上又は上方に凹んで位置するようにしてなる請求項１乃至３記載の何れかの名刺入れ。
【請求項５】
貫通溝孔と、長孔形成の側面部との間のケース上面部に、貫通溝孔の幅より長い範囲に、ケース前側縁と平行な撓み防止用細溝を設けてなる請求項１乃至４記載の何れかの名刺入れ。
【請求項６】
収納ケースを箱型下容器と、上面部及び奥方に名刺受部を備えた上容器で構成し、奥方左右側面において上下容器を軸結して煽り開閉自在に形成すると共に、前記軸結部における軸孔を長孔に形成して上容器を前奥方向にスライド可能に設け、上面板左右端縁と下容器左右側面上端とがスライド噛合する形状に形成し、名刺用の長孔を、下容器前側面部と上面板前端面とで形成してなる請求項１乃至５記載の何れかの名刺入れ。
【考案の詳細な説明】
【技術分野】
【０００１】
本考案は、名刺の携帯のために使用する名刺入れにおいて、特に名刺収納ケースから名刺を１枚毎繰り出す構造を備えたものに関するものである。
【背景技術】
【０００２】
一般の名刺入れは、所謂財布タイプであり、蓋部分を開いて多数の名刺から１枚を抜き取り相手方に手渡すようにしている。然し１枚毎取り出す煩雑さを解消すると共に、名刺が折れ曲がらずに携帯できるように、名刺を１枚毎容易に取り出すことができる名刺入れが提案されている。
【０００３】
前記の名刺入れの基本的構成は、実開昭５９−１５９３２８号公報（特許文献１）及び実開昭６１−１９０２２０号公報（特許文献２）に示されているとおり、ボックス状の名刺収納ケース内に積層状態の名刺を押し上げる発条を設け、ケース側面に名刺が１枚のみ通過する長孔または制止部を設け、底面が最上面の名刺と当接し且つ上部がケース上面に露出した操作摘みとなっている繰り出し部を備え、操作摘みを動作させて、最上層の名刺を長孔からケース外に露出させ、当該露出した名刺を手で取り出すようにしているものである。
【０００４】
また特許文献３（実開昭６２−１１９８３１号公報）には、前記の長孔又は制止部に替えて、繰り出し部の操作で送り出された名刺が、閉塞付勢されている側面蓋を押してケース外に露出する構成が開示されている、
【０００５】
【特許文献１】実開昭５９−１５９３２８号公報。
【特許文献２】実開昭６１−１９０２２０号公報。
【特許文献１】実開昭６２−１１９８３１号公報。
【考案の開示】
【考案が解決しようとする課題】
【０００６】
前記の名刺入れにおいては、名刺が紙製であり、湿気によって撓むこともあるが、操作摘みによる繰り出しに際して名刺の中央部分を発条に抗して押し下げることになるので、僅かであるが撓んでしまう。このため名刺１枚のみが通過する長孔を採用している特許文献１記載の名刺ホルダーでは、名刺が僅かに歪むことによって名刺の一部でも長孔の内側縁に衝突すると、長孔を通過することができなくなり名刺の送り出しが出来なくなってしまう。また特許文献２の名刺入れにおいても、同様に制止部にぶつかってしまう。
【０００７】
特許文献３記載の名刺入れにあっては、名刺繰り出し時に生ずる操作摘みの下圧による名刺の僅かな撓みは、名刺送り出しに何らの支障は生じないが、開閉蓋の閉塞方向付勢力が強いと、名刺が開閉蓋との衝突で折れ曲がる虞があり、しかも充分に耐力を備えた厚い名刺としなければならない。また前記付勢力が弱いと開閉蓋が簡単に開いてしまい、ホルダー内に収納した名刺が飛び出る虞がある。
【０００８】
そこで本考案は、名刺が確実に１枚毎繰り出される新規な名刺入れを提案したものである。
【課題を解決するための手段】
【０００９】
本考案に係る名刺入れは、名刺を積層状態で収納できるボックス状の名刺収納ケースと、前記収納ケース内底面側に設けて積層状態の名刺を押し上げる発条と、ケース前側面部に設けた名刺が通過する長孔と、ケース上面部を貫通して設けられると共に、底面がケース内収納の最上面の名刺と当接し且つ上部がケース上面部に露出した操作摘みとした繰り出し部とを備え、操作摘みのスライド操作で最上層の名刺を長孔からケース外に露出さてなる名刺入れにおいて、長孔の形状を、両端側の所定幅は上下間隙を名刺１枚分の厚さとし、中間部分は充分な広い間隙としてなり、発条を、積層収納の名刺における長孔に近接した左右前方位置で名刺を上方に押し上げる側方発条と、長孔の反対側中央位置で名刺を押上げる中央発条とで構成したことを特徴とするものである。
【００１０】
而して適宜枚数の名刺を収納ケース内に収納すると、前記名刺は発条によって上面部方向に押し上げられ、繰り出し部の操作摘みをスライド操作すると、操作摘みが最上層の名刺と当接し、名刺を長孔から押し出すものである。特に長孔に近接した両端側で名刺を上方に押し上げ、且つ長孔の中間部分は充分に広い間隙となっているので、名刺は確実に長孔の両端側の狭い間隙で１枚毎押し出されることになり、同時に操作摘みの押圧で名刺が撓んだとしても、長孔の中間部分の間隙は広くなっているので、押し出した名刺がぶつかることが無く、スムーズに１枚毎繰り出されるものである。
【００１１】
また本考案は特に、操作摘みのスライド方向に設けた貫通溝孔に、操作摘みを抜け止め状態に装着すると共に、操作摘みを、ケース上面側に貫通溝孔を跨いで形成された弾性アーチ部と、前記弾性アーチ部の下方に設けた名刺当接部とで構成し、弾性アーチ部を非押圧状態で名刺当接部の名刺当接面となる底面がケース上面部の裏面と同一面上又は上方に凹んで位置するようにしてなり、更に貫通溝孔と、長孔形成の側面部との間のケース上面部に、貫通溝孔の幅より長い範囲に、ケース前側縁と平行な撓み防止用細溝を設けてなるものである。
【００１２】
従って操作摘みを指で下圧し、名刺当接部を最上層の名刺に押し付けてスライドさせないと名刺が押し出されないので、誤って操作摘みを動かしたとしても、名刺が収納ケースから押し出されることがない。また前記下圧操作によってケースの上面部が僅かに撓んだとしても、撓み防止用の細溝の存在によって細溝より前側面側の上面部が撓むことが防止され、結果的に長孔の形状に変化を与えないので、名刺の繰り出しがスムーズになされることになる。
【００１３】
更に本考案は、収納ケースを箱型下容器と、上面部及び奥方に名刺受部を備えた上容器で構成し、奥方左右側面において上下容器を軸結して煽り開閉自在に形成すると共に、前記軸結部における軸孔を長孔に形成して上容器を前奥方向にスライド可能に設け、上面板左右端縁と下容器左右側面上端とがスライド噛合する形状に形成し、名刺用の長孔を、下容器前側面部と上面板前端面とで形成してなるものである。
【００１４】
従って上容器を煽り開閉して名刺を上容器に装着し、上容器を下容器で閉塞した後、前方にスライドさせると、上面板左右端縁と下容器左右側面上端とが噛合して、煽り開放を阻止する。
【考案の効果】
【００１５】
本考案は、特定の発条と特定形状の名刺通過用の長孔形状を採用したことにより（請求項１）、名刺の繰り出しのために名刺部分を押圧し、その結果名刺に撓みが生じても、名刺が長孔に引っ掛かることがなく、またケース上板部に所定の細溝を設けたことにより（請求項５）、名刺の繰り出しのために名刺部分を押圧し、その結果ケース上板部の一部が撓んでも、長孔の形状に変化がないので、名刺が確実に１枚毎押し出されるものである。
【００１６】
また本考案は、弾性アーチ部と名刺当接部で構成する特定の操作摘みの構造を採用したことにより（請求項４）、操作摘みの不測の動作でも名刺がケース外に飛び出ることが防止される。
【００１７】
更に本考案は、収納ケースを煽り開閉する上下容器で形成すると共に、閉塞時に噛合する構造を採用したものであるから（請求項６）、閉塞された上下容器がロックされることになり、不用意なケース開放が防止されることになる。
【考案を実施するための最良の形態】
【００１８】
次に本考案の実施の形態について説明する。実施形態に示した名刺入れは、本考案を実施した収納ケース１を適宜な皮ケースＡに収納したものである。
【００１９】
収納ケース１には、発条２と、繰り出し部（操作摘み）３を付設してなり、収納ケース１は、上容器１１と箱型の下容器１２で構成され、両容器１１，１２は、奥方左右側面（名刺が押し出される長孔を前とし、反対側を奥とし、他の対向辺を左右とする。）において上下容器１１，１２を軸結して煽り開閉自在に形成し、両容器１１，１２の組み合わせで全体をボックス状としたものである。
【００２０】
上容器１１は、名刺の大きさに対応した上面部１１１及び左右側面部１１２と、奥方に名刺を複数枚積層状態で納めることができるポケット形状の名刺受部１１３を設けてなり、左右側面部１１２の奥方端に、鍵状（逆Ｌ状）の軸受孔１１４を設け、左右側面部１１２の上端には上面部１１１と一致する高さで、後述する下容器１２の左右側板部１２３の上端に載置される形状にし、上面部１１１の先端に達しない範囲で、且つその先端縁は噛合用傾斜面とした噛合突条１１５を設けてなる。
【００２１】
更に上面部１１１の左右中間位置に繰り出し部を構成する貫通溝孔１１６を設け、また前記貫通溝孔１１６の幅より長い範囲（後述する長孔の広間隙の範囲）に、ケース前側縁と平行な撓み防止用細溝１１７を設けてなる。尚貫通溝孔１１６の左右内側端面は、下方が広がっている傾斜面に形成してなる。
【００２２】
下容器１２は、下面部１２１と、前側面部１２２と、上容器１１の側面部１１２の外方に位置する左右側面部１２３で構成される箱形で、左右側面部１２３の奥方突出部分（下面部が存在しない範囲）に、前記軸受孔１１４と対応する軸部１２４を設けてなる。
【００２３】
前側面部１２２の上端面は、上容器１１が下容器１２と組み合わされて箱型となった際に、上面部１１１と前側面部１２２との間に所定の長孔ａが形成される凹部１２５を設けてなる。即ち凹部１２５の形状を、上面部１１１とで構成される長孔ａが、両端５〜１５ｍｍの範囲では間隙が０．３ｍｍ程度となり、中間部分では１ｍｍ程度としてなるような形状としたものである。
【００２４】
側面部１２３は、特に前方側の上端は、噛合突条１１５と対応する傾斜部分を備えた噛合部１２６を設けてなる。
【００２５】
そして上下容器１１，１２は、軸部１２４を軸受孔１１４に挿着し、煽り開閉自在とすると共に、閉じた状態で軸受孔１１４の許容範囲内で前奥方向にスライド移動可能とし、更に前方スライドさせて噛合突条１１５と噛合部１２６が噛合う位置における左右側面部１１２，１２３に、突起１１８と透孔１２７からなるクリック機構を設けてなる。
【００２６】
発条２は、収納ケース１の下容器１２の下面部１２１に設けたもので、側方発条２１と、中央発条２２を備えてなる。各発条２１，２２は、板バネを採用し、側方発条２１は、長孔ａ（前側面部）と反対側の下面部１２１の奥方に、その基部を固定し、前方部分を跳ね上げ、積層収納の名刺Ｂにおける長孔ａに近接した左右前方位置で名刺Ｂを上方に押し上げるようにしたものである。
【００２７】
また中央発条２２は、前方部分の基部を下面部１２１の内底面の前方に固定し、奥方部分を跳ね上げ、長孔の反対側中央位置（奥方）で名刺Ｂを押上げるようにしたものである。
【００２８】
繰り出し部は、貫通溝孔１１６に装着した操作摘み３で構成される。操作摘み３は、弾性アーチ部３１と名刺当接部３２で構成される。
【００２９】
弾性アーチ部３１は、貫通溝孔１１６を跨いで配置されており、名刺当接部３２は、前記弾性アーチ部３１の下方に設けられ、弾性アーチ部３１で上方に引上げ付勢されている。
【００３０】
また名刺当接部３２は、貫通溝孔１１６の内側端面の傾斜面に対応する傾斜側面を備える形状で、貫通溝孔１６から抜け出るのを防止されている構成となっており、弾性アーチ部３１で引上げ付勢されている状態（非押圧状態）で、名刺当接部３２の名刺当接面３３となる底面が、上面部１１１の裏面と同一面上又は上方に凹んで位置するようにしてなるものである。
【００３１】
而して前記ケース１は、皮ケースＡに包まれて製品化されるもので、ベース部Ａ１に下容器を貼着し、ベース部Ａ１と連続する奥方の保護皮Ａ２をケースの煽り回動中心のそとがわを巻き込むようにして上面部１１１の上面を覆うようにし、ベース部Ａ１の前方部分は蓋体Ａ３とするものである。勿論操作摘み３のスライド操作並びに上容器１１のスライド移動（噛合解除）が可能なようにしておく。
【００３２】
前記の名刺入れは、上容器１１を、クリック機構（突起１１８と透孔１２７の係合）の抵抗力に抗して奥方にスライド移動させ、噛合突条１１５と噛合部１２６の噛合を解除し、その後上容器１１を煽り開放し、ポケット状の名刺受部１１３に複数の名刺Ｂを積層状態で収納し、前記の上容器１１の開放手順の逆を行って、上容器１１と下容器１２を一体とする。
【００３３】
前記状態が名刺入れの携帯状態であり、上容器１１と下容器１２は、図６（イ）の噛合状態となるので、簡単に上容器１１が開放されることが無い。そこで名刺Ｂの取り出しは、蓋体Ａ３を開いて操作摘み３を指Ｃで軽く下圧しながら前方にスライド移動させると、名刺Ｂは１枚だけ長孔ａからその一端部分が繰り出されるので、突出した名刺Ｂを容易に手で引き出すことができる。
【００３４】
特に操作摘み３を指Ｃで下圧して、上面部１１１が撓んだとしても、細溝１１７によって前記の撓みは上面部１１１の前端部分のたわみを阻止することになるので、名刺の通過孔となる長孔ａの形状に変化を与えない。
【００３５】
前記の操作摘み３を下圧し、名刺当接面３３が名刺Ｂと当接することで、名刺Ｂの中央部分が僅かに撓んだとしても、名刺Ｂは側方発条２１によって長孔ａに近接した左右前方位置で上方に押し上げられているので、当該名刺Ｂの左右両端部分は上面部１１１に密着していることになり、また長孔ａの中間部分の間隙は広くなっているので、操作摘み３のした圧スライド操作で名刺Ｂが撓んだとしても、長孔ａから確実に１枚毎繰り出されることになる。
【図面の簡単な説明】
【００３６】
【図１】本考案の実施形態（製品）の全体斜視図（携帯状態）。
【図２】同図（名刺補給状態時）。
【図３】本考案の実施形態（収納ケース）の全体斜視図（上容器開放時）。
【図４】同操作摘みの説明図で、（イ）は携帯時（ロ）は操作時を示す。
【図５】同名刺繰り出し状態の説明図（断面図）。
【図６】同上容器の動作説明図で（イ）は閉塞時（ロ）スライド移動時（ハ）は開放時を示す。
【符号の説明】
【００３７】
１        収納ケース
１１      上容器
１１１      上面部
１１２      側面部
１１３      名刺受部
１１４      軸受孔
１１５      噛合突条
１１６      貫通溝孔
１１７      撓み防止用細溝
１１８      突起
１２      下容器
１２１      下面部
１２２      前側面部
１２３      側面部
１２４      軸部
１２５      凹部（長孔ａ）
１２６      噛合部
１２７      透孔
２        発条
２１      側方発条
２２      中央発条
３        操作摘み（繰り出し部）
３１      弾性アーチ部
３２      名刺当接部
３３      名刺当接面
【図１】
0003109860.tif 000003
【図２】
0003109860.tif 000004
【図３】
0003109860.tif 000005
【図４】
0003109860.tif 000006
【図５】
0003109860.tif 000007
【図６】
0003109860.tif 000008